(57)【要約】  平板状から円筒面状に湾曲した状態でも視野角特性の悪化を抑制することができる液晶パネル及び液晶表示装置を提供する。  液晶パネルの湾曲に伴う、配向膜３４に設けられている筋状部３８の位置ずれは比較的大きい。しかしながら、筋状部３８は自身の長さ方向に位置ずれするので、画素Ｐにおけるドメイン同士の境界線Ｂ２は自身の長さ方向に位置ずれするだけである。一方、配向膜２３に設けられている筋状部２６の位置ずれは比較的小さいので、ドメイン同士の境界線Ｂ１はほとんど位置ずれしない。つまり、ドメイン同士の面積比の変化は無視することができるほど小さい。故に、ドメイン同士の面積比の大幅な変化に起因する液晶パネルの視野角特性の悪化を抑制することができる。
2016135929.tif 000002
【特許請求の範囲】
【請求項１】
液晶層と、
該液晶層の正面側及び背面側に接し、前記液晶層を構成する液晶分子を配向させるための筋状部が夫々に設けられている正面側配向膜及び背面側配向膜と
を備え、
円筒面状に湾曲した液晶パネルであって、
前記正面側配向膜に設けられている筋状部の長さ方向は、円筒面の周方向であり、
前記背面側配向膜に設けられている筋状部の長さ方向は、前記周方向に交差する方向であることを特徴とする液晶パネル。
【請求項２】
前記周方向に長い周方向遮光部と、
前記周方向に交差する方向に長い交差方向遮光部と
を更に備え、
前記周方向遮光部及び交差方向遮光部は画素同士を区画しており、
前記交差方向遮光部は、前記背面側配向膜よりも背面側に設けられていることを特徴とする請求項１に記載の液晶パネル。
【請求項３】
開口と前記周方向遮光部及び交差方向遮光部とを有する遮光層を更に備えることを特徴とする請求項２に記載の液晶パネル。
【請求項４】
前記交差方向遮光部は、前記周方向に交差する方向に長く、前記液晶分子を駆動するための配線であることを特徴とする請求項２に記載の液晶パネル。
【請求項５】
前記液晶分子を駆動するためのスイッチング素子と、
前記正面側配向膜よりも正面側に設けられており、前記スイッチング素子を遮光するための遮光性部材と
を更に備えることを特徴とする請求項４に記載の液晶パネル。
【請求項６】
請求項１乃至５の何れか一項に記載の液晶パネルと、
該液晶パネルを背面側から照明する照明装置と
を備えることを特徴とする液晶表示装置。
【発明の詳細な説明】
【技術分野】
【０００１】
本発明は、配向膜を備える液晶パネル及び液晶表示装置に関する。
【背景技術】
【０００２】
液晶パネルは、液晶駆動用のＴＦＴ（Thin Film Transistor）基板と、ＴＦＴ基板に対面する対向基板とを備えている。液晶層は、正面側の対向基板と背面側のＴＦＴ基板との間に封入されている。
対向基板又はＴＦＴ基板には、ＲＧＢ（Red,Green,Blue）３原色、ＲＧＢＹ（Red,Green,Blue,Yellow ）４原色、又はＲＧＢＷ（Red,Green,Blue,White）４原色等を有する着色層が含まれている。以下では、ＲＧＢ３原色を例示する。各画素は、Ｒ色、Ｇ色、及びＢ色の何れか１色の着色層を有する。【０００３】
液晶パネルの画素配置は、ＴＦＴ基板に含まれているＴＦＴ層のアレイ構造によって決定づけられる。ＴＦＴ層には、液晶層に電圧を印加するための各複数個の画素電極及びＴＦＴが夫々マトリクス状に並設されている。また、ＴＦＴ層には、複数本の配線が縦横に並設されている。
対向基板又はＴＦＴ基板には遮光部材が含まれている。画素同士は遮光部材によって区画される。遮光部材は、例えば複数個の開口（非遮光部）を有するブラックマトリクス（以下ＢＭという）の遮光部、及び／又はＴＦＴ層の配線である。【０００４】
従来、液晶パネルの視野角特性を向上させるために、配向分割による複数個のドメインが各画素に設けられることがある（特許文献１参照）。
対向基板及びＴＦＴ基板夫々には、液晶層に接する配向膜が含まれている。各配向膜の液晶層に接する面には、ストライプ状の配向領域が設けられている。配向領域には、互いに平行な複数本の筋状部が含まれている。液晶層を構成する液晶分子は、筋状部の長さ方向に沿って配向される。【０００５】
正面側の筋状部の長さ方向と背面側の筋状部の長さ方向とは直交している。各画素におけるドメイン同士の境界線の長さ方向は、正面側又は背面側の筋状部の長さ方向に沿う。
【先行技術文献】
【特許文献】
【０００６】
【特許文献１】国際公開第２００６／１３２３６９号パンフレット
【発明の概要】
【発明が解決しようとする課題】
【０００７】
しかしながら、特許文献１に記載の液晶パネルは平板状であり、当該液晶パネルを縦姿勢の円柱に巻き付けた場合、液晶パネルは円柱の表面に沿って円筒面状に湾曲する。このとき、各画素に設けられているドメイン同士の面積比が大幅に変化して、液晶パネルの視野角特性が悪化することがある。【０００８】
本発明は斯かる事情に鑑みてなされたものであり、その主たる目的は、平板状から円筒面状に湾曲した状態でも視野角特性の悪化を抑制することができる液晶パネル及び液晶表示装置を提供することにある。
【課題を解決するための手段】
【０００９】
本発明に係る液晶パネルは、液晶層と、該液晶層の正面側及び背面側に接し、前記液晶層を構成する液晶分子を配向させるための筋状部が夫々に設けられている正面側配向膜及び背面側配向膜とを備え、円筒面状に湾曲した液晶パネルであって、前記正面側配向膜に設けられている筋状部の長さ方向は、円筒面の周方向であり、前記背面側配向膜に設けられている筋状部の長さ方向は、前記周方向に交差する方向であることを特徴とする。【００１０】
本発明に係る液晶パネルは、前記周方向に長い周方向遮光部と、前記周方向に交差する方向に長い交差方向遮光部とを更に備え、前記周方向遮光部及び交差方向遮光部は画素同士を区画しており、前記交差方向遮光部は、前記背面側配向膜よりも背面側に設けられていることを特徴とする。【００１１】
本発明に係る液晶パネルは、開口と前記周方向遮光部及び交差方向遮光部とを有する遮光層を更に備えることを特徴とする。【００１２】
本発明に係る液晶パネルは、前記交差方向遮光部は、前記周方向に交差する方向に長く、前記液晶分子を駆動するための配線であることを特徴とする。【００１３】
本発明に係る液晶パネルは、前記液晶分子を駆動するためのスイッチング素子と、前記正面側配向膜よりも正面側に設けられており、前記スイッチング素子を遮光するための遮光性部材とを更に備えることを特徴とする。【００１４】
本発明に係る液晶表示装置は、本発明に係る液晶パネルと、該液晶パネルを背面側から照明する照明装置とを備えることを特徴とする。【００１５】
本発明にあっては、正面側配向膜による液晶分子の配向方向は、円筒面状に湾曲した液晶パネルの周方向（以下、単に周方向という）である。一方、背面側配向膜による液晶分子の配向方向は、周方向に交差する方向である。
円筒面状に湾曲した液晶パネルは、平板状の液晶パネルを円筒面状に湾曲することによって得られる。以下では、円筒面状に湾曲した液晶パネルを湾曲後の液晶パネルといい、平板状の液晶パネルを湾曲前の液晶パネルという。【００１６】
湾曲前の液晶パネルの湾曲に伴い、正面側配向膜及び背面側配向膜に設けられている筋状部の配置位置は、液晶層の背面側の各部（例えばＴＦＴ層の画素電極）の配置位置に対して、湾曲方向（即ち周方向）に位置ずれを起こすことがある。【００１７】
正面側配向膜に設けられている筋状部（以下、正面側筋状部という）の長さ方向と背面側配向膜に設けられている筋状部（以下、背面側筋状部という）の長さ方向とは、各画素におけるドメイン同士の境界線の長さ方向に対応する。
正面側配向膜と液晶層の背面側の各部との離隔距離は比較的長いので、正面側筋状部の位置ずれは比較的大きい。しかしながら、正面側筋状部の位置ずれの方向は正面側筋状部の長さ方向である。故に、ドメイン同士の境界線の内、正面側筋状部の長さ方向に沿う境界線は、自身の長さ方向に位置ずれする。このような位置ずれが起きても、ドメイン同士の面積比の変化は起こらない。【００１８】
背面側配向膜と液晶層の背面側の各部との離隔距離は比較的短いので、背面側筋状部の位置ずれは比較的小さい。背面側筋状部が周方向に位置ずれを起こした場合、ドメイン同士の境界線の内、背面側筋状部の長さ方向に沿う境界線は、自身の長さ方向に交差する方向に位置ずれする。このような位置ずれが起きれば、ドメイン同士の面積比の変化が起こる。とはいえ、位置ずれの量は微小であるので、ドメイン同士の面積比の変化はほとんどない。【００１９】
本発明にあっては、周方向遮光部の長さ方向は、周方向である。一方、交差方向遮光部の長さ方向は、周方向に交差する方向である。
周方向遮光部（及び交差方向遮光部）は、例えば矩形状の画素の周方向の一辺部（及び周方向に交差する方向の他辺部）に対応する。
湾曲前の液晶パネルの湾曲に伴い、周方向遮光部及び交差方向遮光部の配置位置は、液晶層の背面側の各部の配置位置に対して、周方向に位置ずれを起こすことがある。【００２０】
しかしながら、周方向遮光部が周方向に位置ずれを起こしたとしても、周方向遮光部は、例えば矩形状の画素の一辺部に沿って位置ずれするだけである。故に、周方向遮光部が画素の内部を無用に遮光してしまう虞はない。つまり、各画素におけるドメイン同士の面積比は変化しない。【００２１】
一方、交差方向遮光部が周方向に位置ずれを起こした場合、交差方向遮光部は、例えば矩形状の画素の他辺部に交差する方向に位置ずれする。故に、交差方向遮光部は画素の内部を無用に遮光してしまう虞がある。このとき、ドメイン同士の面積比は変化する。
とはいえ、背面側配向膜よりも背面側に設けられている交差方向遮光部の位置ずれは、交差方向遮光部が正面側配向膜よりも正面側に設けられている場合に比べて小さい。つまり、ドメイン同士の面積比の変化は、無視することができるほど小さい。【００２２】
本発明にあっては、遮光層が背面側配向膜よりも背面側に設けられている。従って、各画素におけるドメイン同士の面積比の変化は、無視することができるほど小さい。【００２３】
本発明にあっては、配線は、例えば矩形状の画素の周方向の一辺部に対応する。
配線が周方向に位置ずれを起こしたとしても、配線は、例えば矩形状の画素の一辺部に沿って位置ずれするだけである。故に、配線が画素の内部を無用に遮光してしまう虞はない。つまり、各画素におけるドメイン同士の面積比は変化しない。【００２４】
本発明にあっては、遮光性部材が正面側配向膜よりも正面側に設けられているので、遮光性部材を構成する物質が液晶層の背面側に無用に浸出することを抑制することができる。
【発明の効果】
【００２５】
本発明の液晶パネル及び液晶表示装置による場合、平板状の液晶パネルを円筒面状に湾曲した状態でも、各画素におけるドメイン同士の湾曲前に比べた面積比の変化は無視することができるほど小さい。
故に、面積比の大幅な変化に起因する液晶パネルの視野角特性（延いては液晶表示装置の視野角特性）の悪化を抑制することができる。
【図面の簡単な説明】
【００２６】
【図１】本発明の実施の形態１に係る液晶表示装置の構成を模式的に示す断面図である。
【図２】液晶表示装置が備える液晶パネルの湾曲前及び湾曲後の状態を模式的に示す断面図である。
【図３】液晶パネルの湾曲前の画素を模式的に示す正面図である。
【図４】液晶パネルの湾曲後の画素を模式的に示す正面図である。
【図５】液晶パネルの作用効果を説明するための正面図である。
【図６】本発明の実施の形態２に係る液晶表示装置の構成を模式的に示す断面図である。
【図７】液晶表示装置が備える液晶パネルの画素を模式的に示す正面図である。
【図８】液晶パネルの作用効果を説明するための正面図である。
【図９】本発明の実施の形態３に係る液晶表示装置の構成を模式的に示す断面図である。
【図１０】液晶表示装置が備える液晶パネルの画素を模式的に示す正面図である。
【発明を実施するための形態】
【００２７】
以下、本発明を、その実施の形態を示す図面に基づいて詳述する。以下の説明では、図において矢符で示す上下、前後、及び左右を使用する。
【００２８】
実施の形態  １．
図１は、本発明の実施の形態１に係る液晶表示装置１の構成を模式的に示す断面図である。
本実施の形態の液晶表示装置１は、テレビジョン受信機、又はパーソナルコンピュータのディスプレイ等として構成されている。液晶表示装置１は、ＲＧＢ三原色を用いてカラー画像を表示する。
【００２９】
液晶表示装置１は円筒面状に湾曲している。ここで、円筒面の周方向は液晶表示装置１の湾曲方向である。円筒面の軸方向は周方向に交差する方向であり、本実施の形態では上下方向である。
以下では、湾曲していない平面状の矩形及びマトリクス、及びこれらを円筒面状に湾曲したものを、特に区別せず何れも矩形及びマトリクスという。
【００３０】
液晶表示装置１は、矩形状の液晶パネル１１及び照明装置１２を備えている。液晶パネル１１は、液晶表示装置１の前部を構成しており、照明装置１２は、液晶表示装置１の後部を構成している。液晶パネル１１及び照明装置１２は、夫々円筒面状の湾曲形状である。
【００３１】
液晶パネル１１は、ＴＦＴ基板２、対向基板３、拡散板４１、偏光板４２，４４、液晶層４３、保護ガラス４５、及び封止部４６を備えている。
ＴＦＴ基板２には、ガラス基板２１、ＴＦＴ層２２、及び配向膜２３（背面側配向膜）が含まれている。ＴＦＴ層２２は、画素電極２４，２４，…及びＴＦＴ２５，２５，…、並びに図示しない各複数本の信号配線及びゲート配線を有している。図１に示す右下がりのハッチングは、ＴＦＴ層２２における画素電極２４，２４，…及びＴＦＴ２５，２５，…以外を表わしている。
対向基板３には、ガラス基板３１、カラーフィルタ層３２、透明電極層３３、及び配向膜３４（正面側配向膜）が含まれている。カラーフィルタ層３２は、ＢＭ３５（遮光層）及び着色層３６，３６，…を有している。カラーフィルタ層３２のＢＭ３５は、非遮光部である開口３７，３７，…と、遮光部とを有する。図１に示す右上がりのハッチングは、ＢＭ３５の遮光部を表わしている。
【００３２】
液晶パネル１１は、平板状の湾曲パネルを円筒面状に湾曲したものである。湾曲前の液晶パネル１１の上下方向及び左右方向は、湾曲後の液晶パネル１１の上下方向及び周方向である。湾曲前の液晶パネル１１の前後方向は、湾曲後の液晶パネル１１の円筒面の法線方向である。以下では、湾曲前の液晶パネル１１の左方向／右方向（前方向／後方向）に対応するものを、左周方向／右周方向（手前方向／奥方向）という。
【００３３】
液晶パネル１１は、矩形状の表示領域と、表示領域を囲繞する矩形枠状の額縁領域とを有する。液晶パネル１１の表示領域には、複数個の画素がマトリクス状に並設されている。本実施の形態の各画素は、マルチ画素の副画素でもよく、マルチ画素ではない通常の画素でもよい。画素同士の大きさ又は形状は均一でもよく不均一でもよい。以下では、説明を簡単にするために、各画素が合同の矩形状であるものとして説明する。
【００３４】
液晶パネル１１の拡散板４１、偏光板４２、ＴＦＴ基板２、液晶層４３、対向基板３、偏光板４４、及び保護ガラス４５は、後側から前側へこの順に配されている。
拡散板４１及び偏光板４２は各矩形状であり、夫々透光性を有する。偏光板４２は、拡散板４１の前面に積層されている。
【００３５】
ＴＦＴ基板２のガラス基板２１、ＴＦＴ層２２、及び配向膜２３は、後側から前側へこの順に配されている。
ガラス基板２１は矩形状であり、透光性を有する。ガラス基板２１は、偏光板４２の前面に積層されている。
ＴＦＴ層２２は、ガラス基板２１の前面に積層された矩形状である。
ＴＦＴ層２２の信号配線及びゲート配線は夫々遮光性を有する。信号配線は、周方向に複数本並設されている。信号配線の長さ方向は上下方向である。ゲート配線は、上下方向に複数本並設されている。ゲート配線の長さ方向は周方向である。信号配線と信号配線とは互いに絶縁された状態で格子状に交差している。
【００３６】
画素電極２４，２４，…とＴＦＴ２５，２５，…とは夫々マトリクス状に並設されている。各画素は、画素電極２４及びＴＦＴ２５を１個ずつ有する。
画素電極２４，２４，…夫々は透光性を有する。各画素電極２４の配置位置は、画素の中心である。
各ＴＦＴ２５のソース電極、ゲート電極、及びドレイン電極は、何れか１本の信号配線、何れか１本のゲート配線、及び何れか１個の画素電極２４に電気的に接続されている。ＴＦＴ２５は、ゲート配線又はＢＭ３５の遮光部等によって遮光されている。
【００３７】
配向膜２３は透光性を有する。配向膜２３は、ＴＦＴ層２２の前面における表示領域に積層された矩形状である。配向膜２３の前面には、ストライプ状の配向領域が設けられている。
【００３８】
対向基板３のガラス基板３１、カラーフィルタ層３２、透明電極層３３、及び配向膜３４は、前側から後側へこの順に配されている。
ガラス基板３１は矩形状であり、透光性を有する。
【００３９】
カラーフィルタ層３２は、ガラス基板３１の後面に積層された矩形状である。
カラーフィルタ層３２が有するＢＭ３５の開口３７，３７，…は各矩形状であり、ＢＭ３５における表示領域にマトリクス状に並設されている。ＢＭ３５の遮光部は、ＢＭ３５の開口３７，３７，…以外であり、上下方向に長い部分と、周方向に長い部分とが格子状に交差している。
ＢＭ３５は、ガラス基板３１の後面上に形成された遮光材料層に対してフォトリソグラフィを行なうことによって設けられる。
【００４０】
各画素は、１個の開口３７を有していてもよい。この場合、画素同士はＢＭ３５の遮光部によって区画される。或いは、複数個の画素が、１個の開口３７の相異なる一部分ずつを有していてもよい。この場合、画素同士はＢＭ３５の遮光部と、ＢＭ３５の遮光部以外の非透光部（例えばＴＦＴ層２２のゲート配線、又は透明電極層３３に設けられたギャップ等）によって区画される。
着色層３６，３６，…は、ＢＭ３５の遮光部上及び開口３７，３７，…夫々の内部に形成された着色材料層に対してフォトリソグラフィを行なうことによって設けられる。各着色層３６は透光性を有し、且つ、Ｒ色、Ｇ色、及びＢ色の何れか１色を有している。各開口３７は、何れか１色の着色層３６によって閉塞されている。
【００４１】
透明電極層３３は、カラーフィルタ層３２の後面における表示領域に積層された矩形状である。透明電極層３３は、画素電極２４，２４，…に対向する共通電極として機能する。
配向膜３４は透光性を有する。配向膜３４は、透明電極層３３の後面に積層された矩形状である。配向膜３４の後面には、ストライプ状の配向領域が設けられている。
【００４２】
偏光板４４及び保護ガラス４５は各矩形状であり、夫々透光性を有する。偏光板４４は、ガラス基板３１の前面に積層されており、保護ガラス４５は、拡散板４１の前面に積層されている。
偏光板４２，４４は、互いに直交する直線偏光を夫々透過する。
【００４３】
ＴＦＴ基板２と対向基板３とは、配向膜２３，３４が対面するようにして、対向配置されている。
封止部４６は矩形枠状であり、遮光性を有する。封止部４６は、ＴＦＴ基板２と対向基板３との間にて、ＴＦＴ基板２及び対向基板３夫々の額縁領域に接着している。つまり、ＴＦＴ基板２と対向基板３とは封止部４６を介して接着されている。
液晶層４３は透光性を有し、ＴＦＴ基板２と対向基板３との間、且つ、封止部４６に囲繞された空間に配されている。換言すれば、液晶層４３は、封止部４６によって、ＴＦＴ基板２と対向基板３との間に封止されている。
液晶層４３の後面（背面側の面）は配向膜２３の配向領域に接触しており、液晶層４３の前面（正面側の面）は配向膜３４の配向領域に接触している。
【００４４】
照明装置１２は、直下型又はエッジライト型の照明装置である。照明装置１２は、平板状の光学シートを円筒面状に湾曲したもの、及び円筒面状に形成された導光板等（各不図示）を備えている。照明装置１２は、自身よりも前側を照明する。
【００４５】
次に、液晶表示装置１におけるカラー画像の表示について説明する。
照明装置１２は、液晶パネル１１を後側から照明する。
照明装置１２が発した光は、拡散板４１を透過することによって拡散する。拡散した光は、偏光板４２を透過してからＴＦＴ基板２に入射する。
ＴＦＴ基板２に入射した光は、ガラス基板２１、画素電極２４，２４，…、及び配向膜２３を順に透過してから、液晶層４３に入射する。
【００４６】
ＴＦＴ２５，２５，…夫々は、液晶層４３を構成する液晶分子を駆動するためのスイッチング素子であり、ＴＦＴ層２２の信号配線及びゲート配線は液晶層４３を構成する液晶分子を駆動するための配線である。
ゲート配線を介してＴＦＴ２５がオンされると、信号配線及びＴＦＴ２５，２５，…を介して画素電極２４，２４，…と透明電極層３３との間に電圧が印加される。この結果、液晶層４３に電圧が印加される。
液晶層４３に電圧が印加されていない場合、液晶層４３に入射した光は、そのまま液晶層４３を透過する。
一方、液晶層４３に電圧が印加された場合、液晶層４３を構成する液晶分子の配列が変化する。液晶層４３に入射した光は、液晶層４３によって偏光されてから液晶層４３を透過する。
【００４７】
液晶層４３を透過した光は、対向基板３に入射する。
対向基板３に入射した光は、配向膜３４、透明電極層３３、着色層３６，３６，…、及びガラス基板３１を順に透過してから出射する。
液晶層４３をそのまま透過した光は、対向基板３から出射した後、偏光板４４によって遮断される。液晶層４３によって偏光された光は、対向基板３から出射した後、偏光板４４、及び保護ガラス４５を順に透過し、外部へ出射する。
以上の結果、液晶パネル１１の表示領域にカラー画像が表示される。
【００４８】
図２は、液晶表示装置１が備える液晶パネル１１の湾曲前及び湾曲後の状態を模式的に示す断面図である。
図２には、液晶パネル１１のＴＦＴ基板２（右下がりのハッチング部分）、対向基板３（右上がりのハッチング部分）、及び液晶層４３が示されている。
図中２０，３０は、液晶パネル１１の湾曲に伴う周方向の位置ずれを説明するための仮想的な指標である。
各指標２０（及び各指標３０）は、ＴＦＴ基板２（及び対向基板３）に配されている。以下では、添え字Ｃは、左右方向の中心位置の指標であることを意味している。添え字Ｌ（及び添え字Ｒ）は、中心位置よりも左側（及び右側）の指標であることを意味している。添え字ａ（添え字ｂ）は、ＴＦＴ基板２（又は対向基板３）の内部における前側（及び後側）の指標であることを意味している。
【００４９】
湾曲前の液晶パネル１１は平板状である。このとき、指標２０Ｃ，３０Ｃａ，３０Ｃｂは前後方向に並んでいる。即ち、指標２０Ｃ，３０Ｃａ，３０Ｃｂ夫々の左右方向の位置は同じである。同様に、指標２０Ｌ，３０Ｌａ，３０Ｌｂ（及び指標２０Ｒ，３０Ｒａ，３０Ｒｂ）夫々の左右方向の位置は同じである。
【００５０】
液晶パネル１１を湾曲させた場合、指標２０Ｃ，３０Ｃａ，３０Ｃｂ夫々の左右方向の位置が同じであるとき、指標２０Ｌは、指標３０Ｌａ，３０Ｌｂに対して周方向（更に詳細には右周方向）に位置ずれを起こし、指標２０Ｒは、指標３０Ｒａ，３０Ｒｂに対して周方向（更に詳細には左周方向）に位置ずれを起こす。何故ならば、ＴＦＴ基板２及び対向基板３は、夫々相異なる曲率半径の円筒面状に湾曲するからである。
【００５１】
ところで、指標３０Ｌａ，３０Ｒａも指標３０Ｌｂ，３０Ｌｂに対して周方向に位置ずれを起こす。しかしながら、これらの法線方向の離隔距離は、指標２０Ｌと指標３０Ｌａ，３０Ｌｂとの法線方向の離隔距離（又は指標２０Ｒと指標３０Ｒａ，３０Ｒｂとの法線方向の離隔距離）に比べて十分に短いので、指標３０Ｌｂ，３０Ｌｂに対する指標３０Ｌａ，３０Ｒａの位置ずれは無視することができるほど小さい。
【００５２】
図３及び図４は、液晶パネル１１の湾曲前及び湾曲後の画素Ｐ，Ｐを模式的に示す正面図である。図３及び図４に示す太い実線は、各画素Ｐの周縁部を表わしている。各画素Ｐの周縁部の形状及び配置位置は、ＴＦＴ層２２のアレイ構造によって決定づけられる。図３及び図４の左側は、配向膜２３及び配向膜３４夫々の配向領域を模式的に示す正面図であり、図３及び図４の右側は、左右方向（又は周方向）に隣り合う２個の画素Ｐ，Ｐを示す正面図である。
【００５３】
配向膜２３の配向領域には、筋状部２６，２６，…が含まれている。筋状部２６，２６，…は、配向膜２３に形成された凹凸を用いてなり、左右方向（又は周方向）に複数本並設されている。各筋状部２６の長さ方向は上下方向である。
液晶層４３を構成する液晶分子は、筋状部２６の長さに沿って配向される。一部の筋状部２６，２６，…は、液晶分子を長さ方向の一側に配向させ、残部の筋状部２６，２６，…は、液晶分子を長さ方向の他側に配向させる。配向膜２３には、液晶分子を長さ方向の一側に配向させる複数本の筋状部２６，２６，…と、液晶分子を長さ方向の他側に配向させる複数本の筋状部２６，２６，…とが左右方向（又は周方向）に交互に並設されている。
【００５４】
配向膜３４の構成は、配向膜２３の構成と略同様である。ただし、配向膜３４の配向領域には、筋状部３８，３８，…が含まれている。筋状部３８，３８，…は、上下方向に複数本並設されている。各筋状部３８の長さ方向は左右方向（又は周方向）である。配向膜３４には、液晶分子を長さ方向の一側に配向させる複数本の筋状部３８，３８，…と、液晶分子を長さ方向の他側に配向させる複数本の筋状部３８，３８，…とが上下方向に交互に並設されている。
【００５５】
液晶層４３を構成する液晶分子が筋状部２６，２６，…及び筋状部３８，３８，…に沿って配向されることにより、各画素Ｐに、マトリクス状に配された各矩形状の４個のドメインが設けられる。異なるドメインに配されている液晶分子同士は、配向方位が互いに異なる。
図３及び図４に示す破線は、ドメインの境界線Ｂ１，Ｂ２を表わしている。各画素Ｐには、長さ方向が上下方向の境界線Ｂ１と左右方向（又は周方向）の境界線Ｂ２とが十字状に生じる。境界線Ｂ１の長さ方向及び配置位置は、筋状部２６，２６，…の長さ方向及び配置位置に対応しており、境界線Ｂ２の長さ方向及び配置位置は、筋状部３８，３８，…の長さ方向及び配置位置に対応している。
【００５６】
筋状部２６，２６，…及び筋状部３８，３８，…は、液晶パネル１１の湾曲に伴って、ＴＦＴ層２２の各部に対し周方向に位置ずれする。
筋状部２６，２６，…が周方向に位置ずれすると、境界線Ｂ１は自身の長さ方向に交差する方向に位置ずれする。しかしながら、配向膜２３はＴＦＴ層２２に隣接している。故に、筋状部２６，２６，…の周方向の位置ずれは無視することができるほど小さい。従って、境界線Ｂ１の長さ方向に交差する方向の位置ずれは無視することができるほど小さい。
【００５７】
一方、配向膜３４はＴＦＴ層２２から離隔している。筋状部３８，３８，…の周方向の位置ずれは筋状部２６，２６，…の周方向の位置ずれに比べて大きい。従って、境界線Ｂ２は、境界線Ｂ２の長さ方向に位置ずれする。ただし、境界線Ｂ２は、境界線Ｂ２の長さ方向に交差する方向に位置ずれすることはない。
つまり、境界線Ｂ１，Ｂ２は、各画素Ｐにおけるドメイン同士の面積比の大幅な変化が起きるような位置ずれを起こさない。
【００５８】
以上のような液晶表示装置１の場合、湾曲前の液晶パネル１１は各画素Ｐの配向分割がなされている。従って、配向分割がなされていない場合よりも視野角特性が向上されている。
一方、湾曲後の液晶パネル１１は、各画素におけるドメイン同士の面積比は湾曲前と略同じである。故に、面積比の大幅な変化に起因する視野角特性の悪化を抑制することができる。
【００５９】
図５は、液晶パネル１１の作用効果を説明するための正面図である。
図５は図４に対応する。しかしながら、配向膜２３には、筋状部３８，３８，…が並設されており、配向膜３４には筋状部２６，２６，…が並設されている。
この場合、筋状部３８，３８，…の周方向の位置ずれは無視することができるほど小さい。従って、境界線Ｂ２の長さ方向の位置ずれは無視することができるほど小さい。
一方、筋状部２６，２６，…の周方向の位置ずれは筋状部３８，３８，…の周方向の位置ずれに比べて大きい。従って、境界線Ｂ１は、境界線Ｂ１の長さ方向に交差する方向に大幅に位置ずれする。
【００６０】
つまり、境界線Ｂ２は、各画素Ｐにおけるドメイン同士の面積比の大幅な変化が起きるような位置ずれを起こさないが、境界線Ｂ１は、ドメイン同士の面積比の大幅な変化が起きるような位置ずれを起こす。この結果、液晶パネル１１の視野角特性が悪化する。
【００６１】
実施の形態  ２．
図６は、本発明の実施の形態２に係る液晶表示装置１の構成を模式的に示す断面図である。図６は図１に対応する。
本実施の形態の液晶表示装置１は、実施の形態１の液晶表示装置１と略同様の構成である。以下では、実施の形態１との差異について説明し、その他、実施の形態１に対応する部分には同一符号を付してそれらの説明を省略する。
本実施の形態の対向基板３には、カラーフィルタ層３２は含まれていない。故に、透明電極層３３は、ガラス基板３１の後面における表示領域に積層されている。
本実施の形態のＴＦＴ基板２には、カラーフィルタ層３２が含まれている。カラーフィルタ層３２は、ガラス基板２１とＴＦＴ層２２との間に介在している。即ち、カラーフィルタ層３２は、配向膜２３よりも背面側に設けられている。
【００６２】
図７は、液晶表示装置１が備える液晶パネル１１の画素を模式的に示す正面図である。図７に示す太い実線は、画素Ｐの周縁部を表わしている。図７には、上下方向及び周方向に隣り合う４個の画素Ｐ，Ｐ，…を示している。図７に示すハッチングは、ＢＭ３５の遮光部を表わしている。
各画素Ｐは、１個の開口３７を有している。
ＢＭ３５においては、各複数本の周方向遮光部３５１，３５１，…及び交差方向遮光部３５２，３５２，…が格子状に交差している。周方向遮光部３５１，３５１，…は、ＢＭ３５の遮光部における周方向に長い部分であり、交差方向遮光部３５２，３５２，…は、ＢＭ３５の遮光部における上下方向に長い部分である。
【００６３】
各画素Ｐは、上下方向に隣り合う２本の周方向遮光部３５１，３５１と、周方向に隣り合う２本の交差方向遮光部３５２，３５２に囲繞されている。即ち、画素Ｐ，Ｐ，…同士はＢＭ３５の遮光部によって区画されている。
カラーフィルタ層３２はＴＦＴ層２２に隣接している。従って、ＴＦＴ層２２の各部に対する周方向遮光部３５１，３５１，…及び交差方向遮光部３５２，３５２，…夫々の周方向の位置ずれは無視することができるほど小さい。
以上の結果、液晶パネル１１の湾曲前の各画素Ｐにおけるドメイン同士の面積比と、液晶パネル１１の湾曲後の各画素Ｐにおけるドメイン同士の面積比とは、略等しい。
【００６４】
以上のような液晶表示装置１の場合、実施の形態１の液晶表示装置１と同様の作用効果を奏することができる。しかも、湾曲に伴うＢＭ３５の遮光部の位置ずれに起因する視野角特性の悪化を抑制することができる。
【００６５】
図８は、液晶パネル１１の作用効果を説明するための正面図である。
図８は図７に対応する。しかしながら、カラーフィルタ層３２は、実施の形態１と同様に対向基板３に含まれている。
この場合、ＴＦＴ層２２の各部に対する周方向遮光部３５１，３５１，…及び交差方向遮光部３５２，３５２，…夫々の周方向の位置ずれは、カラーフィルタ層３２がＴＦＴ基板２に含まれている場合に比べて大きい。
【００６６】
周方向に位置ずれを起こした周方向遮光部３５１が画素Ｐの内部に侵入することはない。
しかしながら、周方向に位置ずれを起こした交差方向遮光部３５２は画素Ｐの内部に侵入することがある。このとき、複数個のドメインの内の一部が交差方向遮光部３５２によって遮光されてしまう。
【００６７】
以上の結果、液晶パネル１１の湾曲前の各画素Ｐにおけるドメイン同士の面積比と、液晶パネル１１の湾曲後の各画素Ｐにおけるドメイン同士の面積比とは、大幅に異なる。この結果、液晶パネル１１の視野角特性が悪化する。
また、交差方向遮光部３５２が画素Ｐの内部に侵入することによる開口率の低下、及び、交差方向遮光部３５２が本来遮光すべき部分（例えばドメイン不良領域）が遮光されないことによって、表示品位が悪化する虞がある。
【００６８】
なお、カラーフィルタ層３２が実施の形態１と同様に対向基板３に含まれている場合であっても、湾曲の前後でドメイン同士の面積比が変化しない場合がある。それは、湾曲に伴って周方向に位置ずれを起こした周方向遮光部３５１が、画素Ｐの内部以外（例えば、ＢＭ３５の遮光部以外の遮光部材によって遮光されている部分）に配される場合である。
【００６９】
実施の形態  ３．
図９は、本発明の実施の形態３に係る液晶表示装置１の構成を模式的に示す断面図である。図９は図１に対応する。
図１０は、液晶表示装置１が備える液晶パネル１１の画素を模式的に示す正面図である。図１０に示す太い実線は、画素Ｐの周縁部を表わしている。図１０には、上下方向及び周方向に隣り合う４個の画素Ｐ，Ｐ，…を示している。
本実施の形態の液晶表示装置１は、実施の形態１の液晶表示装置１と略同様の構成である。以下では、実施の形態１との差異について説明し、その他、実施の形態１に対応する部分には同一符号を付してそれらの説明を省略する。
【００７０】
本実施の形態のカラーフィルタ層３２は、ＢＭ３５を有しておらず、複数個の遮光性部材３９，３９，…を有している。図９に示すハッチングは、遮光性部材３９を表わしている。
遮光性部材３９，３９，…は、ＴＦＴ２５，２５，…を遮光するためのものである。故に、遮光性部材３９，３９，…の配置位置は、ＴＦＴ２５，２５，…配置位置に対応している。遮光性部材３９，３９，…は、ガラス基板３１の後面上に形成された遮光材料層に対してフォトリソグラフィを行なうことによって設けられる。
【００７１】
着色層３６，３６，…は、ＢＭ３５の開口３７，３７，…を閉塞していないという点以外、実施の形態１における着色層３６，３６，…と同様のものである。このために、着色層３６，３６，…は、遮光性部材３９，３９，…上及びガラス基板３１の後面上に形成された着色材料層に対してフォトリソグラフィを行なうことによって設けられる。
【００７２】
本実施の形態のＴＦＴ層２２は、画素電極２４，２４，…及びＴＦＴ２５，２５，…、並びに各複数本の信号配線２７，２７，…及びゲート配線２８，２８，…を有している。図１０に示す右上がりのハッチングは信号配線２７を表わしており、右下がりのハッチングはゲート配線２８を表わしている。
信号配線２７，２７，…及びゲート配線２８，２８，…は実施の形態１のＴＦＴ層２２の信号配線及びゲート配線と同様のものである。
各画素Ｐは、上下方向に隣り合う２本のゲート配線２８，２８と、周方向に隣り合う２本の信号配線２７，２７に囲繞されている。即ち、画素Ｐ，Ｐ，…同士は、信号配線２７，２７，…及びゲート配線２８，２８，…によって区画されている。信号配線２７は交差方向遮光部であり、ゲート配線２８は周方向遮光部である。
【００７３】
信号配線２７，２７，…及びゲート配線２８，２８，…はＴＦＴ層２２に含まれている。従って、ＴＦＴ層２２の他の各部に対する信号配線２７，２７，…及びゲート配線２８，２８，…夫々の周方向の位置ずれは無視することができるほど小さい。
遮光性部材３９は、湾曲に伴う周方向の位置ずれによって画素Ｐの内部を遮光することがある。しかしながら、遮光性部材３９が画素Ｐを遮光し得る面積は、例えばＢＭ３５の遮光部が画素Ｐの内部を遮光し得る面積に比べて、無視することができるほど小さい。
以上の結果、液晶パネル１１の湾曲前の各画素Ｐにおけるドメイン同士の面積比と、液晶パネル１１の湾曲後の各画素Ｐにおけるドメイン同士の面積比とは、略等しい。
【００７４】
以上のような液晶表示装置１の場合、実施の形態１の液晶表示装置１と同様の作用効果を奏することができる。しかも、湾曲に伴うＢＭ３５の遮光部の位置ずれに起因する視野角特性の悪化を防止することができる。
遮光性部材３９は対向基板３に含まれているので、遮光性部材３９を構成する遮光材料が、ＴＦＴ基板２に含まれているＴＦＴ層２２に悪影響を及ぼす虞はない。
【００７５】
実施の形態  ４．
本実施の形態の液晶表示装置１は、実施の形態１の液晶表示装置１と略同様の構成である。以下では、実施の形態１との差異について説明し、その他、実施の形態１に対応する部分には同一符号を付してそれらの説明を省略する。
複数個の画素Ｐ，Ｐ，…は、１個の開口３７の相異なる一部分ずつを有している。画素Ｐ，Ｐ，…同士はＢＭ３５の周方向遮光部３５１，３５１，…（実施の形態２参照）とＴＦＴ層２２の信号配線２７，２７，…（実施の形態３参照）によって区画される。
【００７６】
以上のような液晶表示装置１の場合、実施の形態２の液晶表示装置１と同様の作用効果を奏することができる。何故ならば、周方向遮光部３５１，３５１，…の周方向の位置ずれはドメイン同士の面積比に悪影響を及ぼさないからである。また、信号配線２７，２７，…は周方向の位置ずれのほとんど起こさないのでドメイン同士の面積比の変化に悪影響を及ぼさないからである。
なお、実施の形態１〜４の液晶表示装置１は前側が凸状に湾曲しているが、後側が凸状に湾曲していてもよい。また、円筒面状の液晶表示装置１の軸方向は上下方向以外（例えば左右方向）でもよい。
【００７７】
今回開示された実施の形態は、全ての点で例示であって、制限的なものではないと考えられるべきである。本発明の範囲は、上述した意味ではなく、請求の範囲と均等の意味及び請求の範囲内での全ての変更が含まれることが意図される。
また、本発明の効果がある限りにおいて、液晶パネル１１又は液晶表示装置１に、実施の形態１〜４に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００７８】
１    液晶表示装置
１１  液晶パネル
１２  照明装置
２３  配向膜（背面側配向膜）
２５  ＴＦＴ（スイッチング素子）
２６，３８  筋状部
２７  信号配線（配線，交差方向遮光部）
２８  ゲート配線（周方向遮光部）
３４  配向膜（正面側配向膜）
３５  ＢＭ（遮光層）
３５１  周方向遮光部
３５２  交差方向遮光部
３７  開口
３９  遮光性部材
４３  液晶層
Ｐ    画素
【図１】
2016135929.tif 000003
【図２】
2016135929.tif 000004
【図３】
2016135929.tif 000005
【図４】
2016135929.tif 000006
【図５】
2016135929.tif 000007
【図６】
2016135929.tif 000008
【図７】
2016135929.tif 000009
【図８】
2016135929.tif 000010
【図９】
2016135929.tif 000011
【図１０】
2016135929.tif 000012
【国際調査報告】
2016135929.tif 000013
2016135929.tif 000014
2016135929.tif 000015
2016135929.tif 000016